(57)【要約】【課題】防水性に優れた部分タイル張り壁面を提供する。【解決手段】柱１に対し複数枚の下地板２がビス、釘等により固定され、壁下地３が構築されている。この壁下地３に対し、防水性を有した接着剤を塗着して接着剤層４を形成する。次いで、この接着剤層４が硬化する前に、下地板２，２同士の継目に沿って接着剤層４の一部にタイル１０を張り付ける。その後、タイル１０を張り付けなかった領域に塗り仕上げ材を塗着して塗り仕上げ層１１を形成する。【選択図】図４
2006104733.tif 000002
【特許請求の範囲】
【請求項１】
タイルが壁面の一部に張り付けられ、該壁面のうちタイル張り部分に隣接した部分は塗り仕上げ材料にて塗り仕上げされている部分タイル張り壁面において、
該壁面の壁下地に塗着された、防水性を有した接着剤層と、
該接着剤層の一部に張り付けられた前記タイルと、
を有することを特徴とする壁面構造。
【請求項２】
請求項１において、壁下地は複数枚の下地板が並設されており、少なくとも一部のタイルは該下地板同士の継目に沿って又は跨って張り付けられていることを特徴とする壁面構造。
【請求項３】
請求項２において、壁面における下地板同士の略すべての継目に沿って又は跨ってタイルが張り付けられていることを特徴とする壁面構造。
【請求項４】
請求項２又は３において、該下地板は金属系パネルであることを特徴とする壁面構造。
【請求項５】
請求項２又は３において、下地板は窯業系サイディングであることを特徴とする壁面構造。
【発明の詳細な説明】
【技術分野】
【０００１】
本発明は、壁面の一部がタイル張りされ、他の部分が塗り仕上げ材を用いて仕上げ処理された壁面構造に関する。
【背景技術】
【０００２】
従来、タイルを壁面に接着するための接着剤として、下地追従性が高く、タイルにひび割れ等の欠陥を起こし難いことから、弾性接着剤が用いられている。このタイル張り用弾性接着剤としては、一般に変性シリコーン系弾性接着剤が知られている（特開平１０−１５９３０４号公報、特開平１１−３４９９１６号公報）。
【特許文献１】特開平１０−１５９３０４号公報
【特許文献２】特開平１１−３４９９１６号公報
【発明の開示】
【発明が解決しようとする課題】
【０００３】
従来より、壁の一部をタイル張り仕上げとし、他の部分をコテ等により塗り仕上げとする部分タイル張り壁面が知られている。
【０００４】
従来の部分タイル張り壁面にあっては、タイル張り用弾性接着剤と塗材とが別々の材料を用いており、異なる材料同士の境界の継ぎ目部分の防水性低下が懸念される。
【０００５】
また、従来、複数枚の下地板を並設して構築した壁面に塗り仕上げを施した場合、下地板同士の継目に沿って塗り仕上げ層に段差や凹条よりなる筋目が生じ、見栄えが悪くなることがあった。これは、部分タイル貼り壁面の塗り仕上げ面についても同様に生じていた。
【０００６】
本発明は、上記従来の問題点を解決し、防水性が良好な部分タイル張り壁面構造を提供することを目的とする。
【０００７】
また、本発明は、その一態様において、下地板の継目痕が目立たない部分タイル張り壁面構造を提供することを目的とする。
【課題を解決するための手段】
【０００８】
請求項１の壁面構造は、タイルが壁面の一部に張り付けられ、該壁面のうちタイル張り部分に隣接した部分は塗り仕上げ材料にて塗り仕上げされている部分タイル張り壁面において、該壁面の壁下地に塗着された、防水性を有した接着剤層と、該接着剤層の一部に張り付けられた前記タイルとを有することを特徴とするものである。
【０００９】
請求項２の壁面構造は、請求項１において、壁下地は複数枚の下地板が並設されており、少なくとも一部のタイルは該下地板同士の継目に沿って又は跨って張り付けられていることを特徴とするものである。
【００１０】
請求項３の壁面構造は、請求項２において、壁面における下地板同士の略すべての継目に沿って又は跨ってタイルが張り付けられていることを特徴とするものである。
【００１１】
請求項４の壁面構造は、請求項２又は３において、該下地板は金属系パネルであることを特徴とするものである。
【００１２】
請求項５の壁面構造は、請求項２又は３において、下地板は窯業系サイディングであることを特徴とするものである。
【発明の効果】
【００１３】
本発明の壁面構造にあっては、タイル張り部分から塗り仕上げ部分にわたって壁下地の全体に連続して防水性を有した接着剤層が設けられ、この接着剤層の一部にタイル張りが施されているので、タイル張り部分の境界を含めて壁面全体の防水性が良好である。また、継目の防水上の構造を考慮する必要がないので、タイル張り部分と塗り仕上げの部分が、外壁面の中の任意の位置で切り分けられるため、自由自在なコーディネイトが得られる。
【００１４】
従って、下地板として金属系パネルを用いても、金属系パネルの発錆が防止される。また、窯業系サイディングを用いても水が浸透することがなく凍結融解による劣化が防止される。
【００１５】
請求項２の壁面構造にあっては、下地板同士の継目に沿って又は跨ってタイルが張り付けられているため、仮にこの継目に沿って接着剤層に段差や凹条よりなる継目痕が生じても、殆ど目立たず、外観上の見栄えが極めて良好となる。
【００１６】
本発明では、下地板同士の略すべての継目に沿って又は跨ってタイルを張ることにより、壁面全体で継目が目立たないものとなる。
【発明を実施するための最良の形態】
【００１７】
以下、図面を参照して実施の形態について説明する。第１図〜第４図は本発明の実施の形態に係る部分タイル張り壁面構造と、そのための壁仕上げ工法を示すものであり、このうち第４図は仕上げが完了した壁面を示している。
【００１８】
第１図の通り、柱１に対し複数枚の下地板２がビス、釘等により固定され、壁下地３が構築されている。この実施の形態では、下地板２の下縁及び上縁に実部が設けられており、これらの実部を係合させるようにして各下地板２同士が並設されている。
【００１９】
第２図の通り、この壁下地３に対し、防水性を有した接着剤を塗着して接着剤層４を形成する。
【００２０】
次いで、この接着剤層４が硬化する前に、好ましくは接着剤層４を形成した後、直ちに、第３図のように、下地板２，２同士の継目に沿って又は跨ってタイル１０を張り付ける。この際、継目に沿って水糸を張ることにより、タイル１０の水平出しを行うことができる。図示はしないが、水糸を張る代りに、下地板２，２同士の継目に沿ってピンを掃引し、水平に延在する細い筋を形成し、この筋に沿ってタイル１０を張り付けるようにしてもよい。
【００２１】
その後、タイル１０を張り付けなかった領域に、第４図の通り、塗り仕上げ材を塗着して塗り仕上げ層１１を形成する。これにより、壁面の一部にタイル張りが施され、残部が塗り仕上げされた壁面が構成される。また、タイル１０を張り付けなかった領域をそのまま塗り仕上げ面としてもよい。
【００２２】
この壁面にあっては、壁面全体に防水性を有した接着剤層４が形成されており、タイル張り領域と塗り仕上げ領域との境界も含めて壁面全体の防水性が良好である。また、下地板２同士の間にシーリング材を充填した場合、仮にシーリング材が切れても、壁面の防水性が確保される。
【００２３】
また、この実施の形態では、仕切板２，２の継目に沿って又は跨ってタイル１０を張っているため、仮にこの継目に段差が生じても目立たないものとなる。
【００２４】
なお、仕切板２，２同士のすべての継目に沿って又は跨ってタイル１０を張ることにより、壁面全体において仕切板２，２間の継目が目立たなくなり、壁面の美観が極めて良好なものとなる。
【００２５】
この実施の形態では、上記の通り、防水性を有した接着剤層４によって各仕切板２の全体が切れ目なく連続して被覆されるため、仕切板２として金属系パネル（例えば鋼板パネル、金属サイディング、鋼板サンドイッチパネルなど）を用いても、発錆が防止される。仕切板２として窯業系サイディングを用いた場合でも、窯業系サイディングに水が浸透することがないから、その凍結融解による劣化も防止される。
【００２６】
なお、図示のように上下左右に複数枚のタイル１０を張る場合、紙張りタイルユニットを用いてもよい。
【００２７】
上記実施の形態は本発明の一例であり、本発明は図示以外の形態をもとりうる。例えば、壁面の複数領域にタイル張りし、タイル張りした領域同士の間に塗り仕上げ層が形成されるようにしてもよい。塗り仕上げは、タイル張りしていない残部に砂や小石を接着させた塗り仕上げ、わら等の繊維を接着させた塗り仕上げでもよい。また、上記実施の形態では下地板を水平横長に張っているが、下地板を縦長に張ってもよい。
【図面の簡単な説明】
【００２８】
【図１】壁下地を示す斜視図である。
【図２】壁下地に接着剤層を形成した状態を示す斜視図である。
【図３】接着剤層にタイル張りした状態を示す斜視図である。
【図４】（ａ）図はタイル張りされた実施の形態に係る壁面の正面図である。（ｂ）図は（ａ）図のＢ−Ｂ断面を示す。
【符号の説明】
【００２９】
２  下地板
３  壁下地
４  防水性を有した接着剤層
１０  タイル
１１  塗り仕上げ層
【図１】
2006104733.tif 000003
【図２】
2006104733.tif 000004
【図３】
2006104733.tif 000005
【図４】
2006104733.tif 000006